(57)【要約】      （修正有）【課題】ＤＣ入力が有る時は、二次電池に充電すると共にＵＳＢ端子を利用し同時にモバイル機器に給電でき、ＤＣ入力が給電されなくなった時は充電した二次電池からモバイル機器に給電できるモバイルバッテリパックを提供する。【解決手段】外から直流電源が供給される端子のラインに設けられたバッテリーチャージャ０１と、バッテリーチャージャの出力側にあって、二次電池０３１の破損を保護するバッテリープロテクション回路０３及びバッテリ接続端子と、バッテリーチャージャの出力側でＤＣ出力の５Ｖを得る昇圧タイプのＤＣ／ＤＣコンバータ０２と、定められた基準電圧と二次電池電圧とを比較し、充電時の電圧（充電容量）及び残存電池電圧（電池容量）を表示するインジケータ及び充電中を表示する充電インジケータ０４と、インジケータを必要時に有効にするスイッチ０４４と、ＤＣ／ＤＣコンバータの出力側に設けられたＵＳＢアウトプット０５とからなる。【選択図】図１
0003185778.tif 000002
【実用新案登録請求の範囲】
【請求項１】
外から直流電源が供給される端子のラインに設けられたバッテリーチャージャと、該バッテリーチャージャの出力側にあって、二次電池の破損を保護するバッテリープロテクション回路及びバッテリ接続端子と、前記バッテリーチャージャの出力側でＤＣ出力の５Ｖを得る昇圧タイプのＤＣ／ＤＣコンバータと、定められた基準電圧と二次電池電圧とを比較し、充電時の電圧（充電容量）及び残存電池電圧（電池容量）を表示するインジケータ及び充電中を表示する充電インジケータと、前記インジケータを必要時に有効にするスイッチと、前記ＤＣ／ＤＣコンバータの出力側に設けられたＵＳＢアウトプットとからなることを特徴としたモバイルバッテリーパック。
【請求項２】
請求項１記載のモバイルバッテリパックにおいて、インジケータはＬＥＤで構成され該インジケータで電池容量及び充電状態を表示できるようにしたことを特徴とするモバイルバッテリーパック
【考案の詳細な説明】
【技術分野】
【０００１】この考案は携帯電話、小型パソコン、スマートフォン、ＰＤＡ，ネットブック等の情報通信機器等に用いられるモバイルバッテリパックに関する。
【背景技術】
【０００２】一般的に、ＡＣをＤＣに変換するアダプタによって電力を供給し、情報通信機器を稼働或いは及び情報通信機器に内蔵されたバッテリを充電するが、ＡＣ電源が得られない状況においては使用できないため、長時間稼働させる時は予め充電されたバッテリを用意していた。又近年ＵＳＢコネクタを使用した電源供給方法の情報通信機器が増加して来ている為、バッテリからＵＳＢの５Ｖに昇圧して情報通信機器に電力を供給するバッテリパックが出て来ている。このバッテリパックにＤＣ電力の入力部を設け、内蔵のバッテリに充電する機能を付加し、電池に充電しておく。ＡＣ或いはＤＣ電源が得られない時にこの充電された電池からＵＳＢの５Ｖ電源を生成して情報通信機器を稼働するものも提案されている。この考案はこういった回路の別の構成を成した提案をするものである。その為に、この考案は携帯電話、小型パソコン、スマートフォン、ＰＤＡ、ネットブック等のモバイルの情報通信機器に用いられ、ＤＣ入力してきた電圧から二次電池を充電し、同時にＵＳＢコネクタによるＤＣ５Ｖ電源出力を得るとともにＤＣ入力が断になった際も先に充電した二次電池からＤＣ出力を得ることができるもので、電力の有効利用と、情報通信機器の内蔵電池の消失の際、ＤＣ出力が得られる為情報通信機器が使用できないといったことが無くなるモバイルバッテリパックを提供しようとしている。
【先行技術文献】
【特許文献】
【０００３】
【特許文献１】特許３４６３６５０号公報
【特許文献２】特許３９１７０９９号公報
【考案の概要】
【考案が解決しようとする課題】
【０００４】この考案はＤＣ入力が有る時、二次電池に充電するとともに、ＵＳＢ端子を利用して同時にモバイル機器に給電できるＤＣ出力を得、入力のＤＣが給電されなくなったときは前記充電した二次電池からモバイル機器にＤＣ出力を給電できるようにすることを課題としている。
【課題を解決するための手段】
【０００５】この考案は外から直流電源が供給される端子のラインに設けられたバッテリーチャージャと、該バッテリーチャージャの出力側にあって、二次電池の破損を保護するバッテリープロテクション回路及びバッテリ接続端子と、前記バッテリーチャージャの出力側でＤＣ出力の５Ｖを得る昇圧タイプのＤＣ／ＤＣコンバータと、定められた基準電圧と二次電池電圧とを比較し、充電時の電圧（充電容量）及び残存電池電圧（電池容量）を表示するインジケータ及び充電中を表示する充電インジケータと、前記インジケータを必要時に有効にするスイッチと、前記ＤＣ／ＤＣコンバータの出力側に設けられたＵＳＢアウトプットとからなるもので、最的なＩＣ選択と電子部品の選択によって、ＤＣの無入力時でも二次電池から効率よくモバイルに給電できるようにしている。
【考案の効果】
【０００６】この考案によって、ＤＣ入力で二次電池を充電し、同時にＤＣ出力もしているので出先でＤＣ入力がなくなった状態に陥っても充電した二次電池からの給電によりモバイルがそのまま使え、「電池切れ」といった不安を抱くことが無く、安心して、外でのモバイルが利用できるモバイルパックを提供している。
【図面の簡単な説明】
【０００７】
【図１】この考案の実施の形態１に係わる実体回路で、これに主要な箇所を点線で枠取りした回路図。
【考案を実施するための形態】
【０００８】以下、この考案の一実施の形態を、図１を用いて説明する。
図１は実体回路図で、電子部品を各シンボルで表していて、これらを点線で囲って全体の機能的な概念を表している。
【０００９】点線で枠取りして表したもので、その内、付番した０１はバッテリチャージャを表し、付番した０２は昇圧タイプのＤＣ／ＤＣコンバータを表し、付番した０３はバッテリプロテクション回路を表し、付番した０４はインジケータを表し、付番した０５はＵＳＢ出力部を各々表しているものである。
【００１０】前記バッテリチャージャ０１はこの場合例えばＡＣ／ＤＣ変換された直流電流が受給できるジャックを入力端で形成している。ＤＣ電力が供給されたバッテリーチャージャ０１の  内部のバッテリチャージャＩＣは前記バッテリプロテクション回路０３により保護された二次電池０３１を充電し、ＤＣ／ＤＣコンバータ０２を稼働する。
【００１１】前記バッテリーチャージャＩＣは充電条件設定回路０１２を有し、当該充電設定回路０１２によって充電条件（充電電流、充電時間等）を変更できるようになっている。更に前記バッテリーチャージャＩＣはインジケータ０４に接続されていて充電の状況を表示している。
【００１２】前記ＤＣ／ＤＣコンバータ０２の出力はこれより後段のＤＣ／ＤＣコンバータ０２に接続されて必要な電圧に変換して更に後段のＵＳＢ出力部０５に出力し、このＵＳＢ出力部０５に接続される。例えば携帯電話などの電力入力部（ＵＳＢタイプも有る）に電力を供給するようになっている。この場合、電力はＤＣ入力からバッテリチャージャ０１の出力からＤＣ／ＤＣコンバータ０２を経てＵＳＢ出力０５に出力する。
【００１３】次にＤＣ入力が有る場合はＤＣ入力電圧検出回路０２２によりスイッチ回路０２３がオンしてＤＣ／ＤＣコンバータ０２へ電力を供給してＵＳＢ出力部０５に出力しながら二次電池０３１に充電を行う。
【００１４】前記インジケータ０４はＬＥＤ０４１、０４２、０４３と電圧比較コンパレータＩＣ（容量検出）からなり、抵抗０４５で基準電圧をつくり、基準電圧と電池電圧とを比較し各基準電圧によりＬＥＤ０４１，０４２，０４３のいずれかが点灯するもので、ＬＥＤ０４１の赤色側はバッテリチャージャ０１により充電中に点灯し、充電異常或いは充電停止等により点滅する。充電中で基準電圧４Ｖ以上の電池電圧の場合で、スイッチ０４４がオンの場合、黄色の点灯となる。
【００１５】そして、前記ＬＥＤ０４３、０４２及び０４１の緑色側は二次電池０３１の残量表示用に、ＬＥＤ０４１の赤表示は充電状態表示用にできるように結線してある。尚０３２は電池保護用０３２１Ｃで二次電池０３１の過充電、過放電等の電池に対する破損を防止するためにスイッチ素子０３３で電池を切り離す機能を有している。
【産業上の利用可能性】
【００１６】以上のようにこの考案は外から直流電源が供給される端子のラインに設けられたバッテリーチャージャと、該バッテリーチャージャの出力側にあって、二次電池の破損を保護するバッテリープロテクション回路及びバッテリ接続端子と、前記バッテリーチャージャの出力側でＤＣ出力の５Ｖを得る昇圧タイプのＤＣ／ＤＣコンバータと、定められた基準電圧と二次電池電圧とを比較し、充電時の電圧（充電容量）及び残存電池電圧（電池容量）を表示するインジケータ及び充電中を表示する充電インジケータと、前記インジケータを必要時に有効にするスイッチと、前記ＤＣ／ＤＣコンバータの出力側に設けられたＵＳＢアウトプットとからなるもので、最的なＩＣ選択と電子部品の選択によって、ＤＣの無入力時でも二次電池から効率よくモバイルに給電できるようにしている。従って、不安の無い情報通信機器の連続使用ができるものである。
【符号の説明】
【００１７】  ０３２    電池保護用ＩＣ
０３１    二次電池
０３３    電池スイッチ
０４１    ＬＥＤ
０４２    ＬＥＤ
０４３    ＬＥＤ
０４      インジケータ
０２      ＤＣ／ＤＣコンバータ
０２１    バッテリ電圧検出回路
０２２    ＤＣ入力電圧検出回路
０２３    スイッチ回路
０３      バッテリープロテクション
０５      ＵＳＢ出力部
０４４    インジケータスイッチ
０１      バッテリーチャージャ
０１２    充電条件設定回路
【図１】
0003185778.tif 000003